【事件の表示】
　特許第３３３６２８５号「自然石連結マット、その作成方法および敷設方法」の請求項１ないし請求項８に係る発明についての特許に対する特許異議の申立てについて、次のとおり決定する。
【結　論】
　訂正を認める。
　特許第３３３６２８５号の請求項１ないし請求項７に係る発明についての特許を維持する。
【理　由】
第１　手続の経緯
　本件特許第３３３６２８５号の出願は、平成１０年８月２４日に出願された特願平１０−２３６６８５号の特許出願を基礎として、平成１０年１１月３０日に特願平１０−３３９２２３号の国内優先権主張出願をし、さらに、前記国内優先権主張出願を基礎として、平成１１年３月１１日に出願された特願平１１−６５２３６号の特許出願であって、その発明についての特許は平成１４年８月２日に設定登録され、この請求項１ないし請求項８に係る発明の特許に対し、特許異議申立人マックストン株式会社（以下、「申立人Ａ」という。）及び只野裕子（以下、「申立人Ｂ」という。）により特許異議の申立てがなされ、当審において取消理由を通知したところ、その指定期間内の平成１６年８月６日付けで意見書が提出されるとともに、同日付けで訂正請求がなされたものである。
　
第２　訂正の適否についての判断
１．訂正の内容
　特許権者は、訂正請求書を提出して、特許明細書を次のように訂正しようとするものである。
［訂正事項ア］：特許明細書の【特許請求の範囲】の
　「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石にスペーサーを介してアンカープレートを被せ、アンカーを打ち込んで、ネット状体と自然石とを固着するか、あるいは、自然石が該自然石の底部に接着されたロープ、紐状体もしくはベルトによりネット状体の他面側で締結固定されている、自然石連結マット。」の記載を、
　「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に
不織布の
爪付き
した
［訂正事項イ］：特許明細書の【特許請求の範囲】の
　「【請求項６】アンカーが金属拡張アンカーまたはケミカルアンカーからなる施工アンカーである請求項１記載の自然石連結マット。」の記載を、
　「【請求項６】アンカーが金属拡張アンカーまたはケミカルアンカーからなる
あと
［訂正事項ウ］：特許明細書の【特許請求の範囲】の
　「【請求項７】請求項１〜６のいずれか記載の自然石連結マットを、型枠内で作成し、枠蓋を使用して、自然石をネットの上側にする自然石連結マットの作成方法。」の記載を、削除する。
［訂正事項エ］：特許明細書の【特許請求の範囲】の
　「【請求項８】請求項１〜６のいずれか記載の自然石連結マットを、吊り下げ金具に懸架用部材を介して掛着し、吊り下げ金具を持ち上げて上記マットを吊り下げ、移動して所定位置に敷設する敷設工法。」の請求項順を繰り上げて、
　「【請求項
７
［訂正事項オ］：特許明細書の段落【０００６】の
　「【課題を解決するための手段】すなわち、本発明は、以下の構成からなるものである
　（１）高分子樹脂を含んで構成されるジオテキスタイルからなるネット状体の片面側に自然石を固着した自然石連結マットであって、その固着手段が、ネット状体の片面側に自然石を配置し、該ネット状体の他面側から該自然石にスペーサーを介してアンカープレートを被せ、アンカーを打ち込んで、ネット状体と自然石とを固着するか、あるいは、自然石が該自然石の底部に接着されたロープ、紐状体もしくはベルトによりネット状体の他面側で締結固定されている、自然石連結マット。
　（２）ジオテキスタイルが少なくとも経線に補強用芯材を埋設した芯材補強ネットである（１）記載の自然石連結マット。
　（３）ジオテキスタイルがメッシュ状織編物を樹脂で固めた樹脂固めネットである（１）記載の自然石連結マット。
　（４）ネット面にヘチマ繊維状の植生基盤材を敷設している（１）〜（３）いずれかに記載の自然石連結マット。
　（５）ネット状体の周辺部に孔開きベルト部を有する（１）〜（４）いずれかに記載の自然石連結マット。
　（６）アンカーが金属拡張アンカーまたはケミカルアンカーからなるあと施工アンカーである（１）記載の自然石連結マット。
　（７）上記（１）〜（６）のいずれか記載の自然石連結マットを、型枠内で作成し、枠蓋を使用して、自然石をネットの上側にする自然石連結マットの作成方法。
　（８）上記（１）〜（６）のいずれか記載の自然石連結マットを、吊り下げ金具に懸架用部材を介して掛着し、吊り下げ金具を持ち上げて上記マットを吊り下げ、移動して所定位置に敷設する敷設工法。」の記載を、
　「【課題を解決するための手段】すなわち、本発明は、以下の構成からなるものである
　（１）高分子樹脂を含んで構成されるジオテキスタイルからなるネット状体の片面側に自然石を固着した自然石連結マットであって、その固着手段が、ネット状体の片面側に自然石を配置し、該ネット状体の他面側から該自然石に
不織布の
爪付き
した
　（２）ジオテキスタイルが少なくとも経線に補強用芯材を埋設した芯材補強ネットである（１）記載の自然石連結マット。
　（３）ジオテキスタイルがメッシュ状織編物を樹脂で固めた樹脂固めネットである（１）記載の自然石連結マット。
　（４）ネット面にヘチマ繊維状の植生基盤材を敷設している（１）〜（３）いずれかに記載の自然石連結マット。
　（５）ネット状体の周辺部に孔開きベルト部を有する（１）〜（４）いずれかに記載の自然石連結マット。
　（６）アンカーが金属拡張アンカーまたはケミカルアンカーからなるあと施工アンカーである（１）記載の自然石連結マット。
　（
７
［訂正事項カ］：特許明細書の段落【００２７】の「図８は、自然石固定の他の例を示す要部拡大図で、自然石２の下面中央部に紐状体、ベルトもしくはロープ９を接着剤１０で固着したものである。このロープ９を樹脂ネットに締結して固定するものである（ネットに固定したものは図示せず）。通常はネットに直接取り付けるが、リング体あるいは板状体などの固定金具などを用いて緊結することもできる。勿論、緊結したうえで接着剤で固着してもよい。このようにロープなどで固定したものは、アンカーによるものと同様、連結が簡単かつ迅速で、配置や配列の変更も容易に行える。」の全文の記載を、削除する。
［訂正事項キ］：特許明細書の段落【００２８】の
　「……図９は、……」の記載を、
　「……
図８
［訂正事項ク］：特許明細書の段落【００２９】の
　「……図１０〜１５を使用……なお、図１１〜１５では、……図１０に示すように、……図１１に示すように、図１０の……」の記載を、
　「……
図９〜１４
図１０〜１４
図９
図１０
図９
［訂正事項ケ］：特許明細書の段落【００３０】の
　「図１２に示すように、……なお、図１２においては、……図１３に示すように、……図１４に示すように、……図１４においては、……」の記載を、
　「
図１１
図１１
図１２
図１３
図１３
［訂正事項コ］：特許明細書の段落【００３１】の
　「……図１４に示すように……図１５に示すように、……」の記載を、
　「……
図１３
図１４
［訂正事項サ］：特許明細書の【図面の簡単な説明】の「【図８】本発明の実施例を示す自然石固定の要部拡大図である。」の記載を、削除する。
［訂正事項シ］：特許明細書の【図面の簡単な説明】の
　「【図９】本発明の他の実施例を示す自然石固定の一部断面拡大図である。
　　【図１０】本発明の自然石連結マットの作成法を示す斜視図である。
　　【図１１】本発明の自然石連結マットが作成された状態の斜視図である。
　　【図１２】本発明の自然石連結マットを枠蓋を使用して、自然石をネットの上側にする準備段階の概略図である。
　　【図１３】本発明の自然石連結マットの自然石を、ネットの上側にした状態の概略図である。
　　【図１４】本発明の自然石連結マットの敷設工法において、水平法面への移動の概略図である。
　　【図１５】本発明の自然石連結マットの敷設工法において、傾斜法面への敷設の概略図である。」の記載を、
　「【
図８
　　【
図９
　　【
図１０
　　【
図１１
　　【
図１２
　　【
図１３
　　【
図１４
斜面
［訂正事項ス］：特許明細書の【符号の説明】欄の「９　　ロープ」の記載を、削除する。
［訂正事項セ］：特許明細書に添付した図面の【図１５】を、削除する。
　
２．訂正の目的の適否、新規事項の有無及び拡張・変更の存否
　［訂正事項ア］の訂正は、請求項１に係る発明の「スペーサーを」を「
不織布の
爪付き
した
　［訂正事項イ］の訂正は、請求項６に係る発明の「施工アンカー」を「
あと
　［訂正事項ウ］の訂正は、特許請求の範囲から【請求項７】を削除するものであるから、特許請求の範囲の減縮を目的とするものに該当する。
　［訂正事項エ］の訂正は、上記［訂正事項ウ］の訂正に伴い、【請求項８】を【請求項７】に繰り上げるものであるから、明りようでない記載の釈明を目的とするものに該当する。
　［訂正事項オ］の訂正は、発明の詳細な説明の記載を、訂正後の特許請求の範囲の記載に整合させるための訂正であるから、明りようでない記載の釈明を目的とするものに該当する。
　［訂正事項カ］の訂正は、発明の詳細な説明の記載を、訂正後の特許請求の範囲の記載に整合させるために、段落【００２７】の記載を削除する訂正であるから、明りようでない記載の釈明を目的とするものに該当する。
　［訂正事項キ］ないし［訂正事項コ］の訂正は、発明の詳細な説明における図面の番号の記載を、添付の図面の番号の記載に整合させるための訂正であるから、誤記の訂正を目的とするものに該当する。
　［訂正事項サ］の訂正は、図面の簡単な説明の記載を、訂正後の明細書の発明の詳細な説明の記載に整合させるための訂正であるから、明りようでない記載の釈明を目的とするものに該当する。
　［訂正事項シ］の訂正は、図面の簡単な説明における図面の番号を、訂正後の発明の詳細な説明における図面の番号の記載に整合させるためのものであるから、明りようでない記載の釈明を目的とするものに該当する。
　［訂正事項ス］の訂正は、符号の説明の記載を、訂正後の明細書の記載に整合させるために、符号９についての説明を削除する訂正であるから、明りようでない記載の釈明を目的とするものに該当する。
　［訂正事項セ］の訂正は、訂正後の明細書の発明の詳細な説明の記載に整合させるために、特許明細書に添付した図面を削除する訂正であるから、明りようでない記載の釈明を目的とするものに該当する。
　そして、上記［訂正事項ア］ないし［訂正事項セ］の各訂正における技術事項は、特許明細書又は図面に記載されていた範囲内のものであるから、これらの［訂正事項ア］ないし［訂正事項セ］の訂正は、願書に添付した明細書又は図面に記載した事項の範囲内において訂正するものであって、新規事項の追加に該当せず、実質上特許請求の範囲を拡張し、又は変更するものでもない。
　
３．むすび
　以上のとおりであるから、上記訂正は、特許法第１２０条の４第２項及び同条第３項において準用する特許法第１２６条第２項から第４項までの規定に適合するので、当該訂正を認める。
　
第３　特許異議の申立てについて
１．特許異議の申立ての取消理由の概要
（１）申立人Ａの特許異議申立理由の概要
　申立人Ａは、下記の甲第Ａ１号証ないし甲第Ａ５号証を提示して、当該請求項に係る発明についての特許は取り消されるべきであるとして、次のように申し立てている。
　
取消理由Ａ１
　
取消理由Ａ２
　
取消理由Ａ３
　
取消理由Ａ４
　
取消理由Ａ５
　
取消理由Ａ６
　
取消理由Ａ７
　　　　　　　　　　　　　　　　　記
・
甲第Ａ１号証
・
甲第Ａ２号証
・
甲第Ａ３号証
・
甲第Ａ４号証
・
甲第Ａ５号証
　
（２）申立人Ｂの特許異議申立理由の概要
　申立人Ｂは、下記の甲第Ｂ１号証ないし甲第Ｂ９号証を提示して、当該請求項に係る発明についての特許は取り消されるべきであるとして、次のように申し立てている。
　
取消理由Ｂ１
　
取消理由Ｂ２
　
取消理由Ｂ３
　
取消理由Ｂ４
　
取消理由Ｂ５
　　　　　　　　　　　　　　　　　記
・
甲第Ｂ１号証
・
甲第Ｂ２号証
・
甲第Ｂ３号証
・
甲第Ｂ４号証
・
甲第Ｂ５号証
・
甲第Ｂ６号証
・
甲第Ｂ７号証
・
甲第Ｂ８号証
・
甲第Ｂ９号証
　
２．本件発明
　本件発明は、特許明細書が訂正請求により訂正された結果、訂正明細書の特許請求の範囲の請求項１ないし請求項７に記載された次の事項により特定されるとおりのものである。（前記「第２　訂正の適否についての判断」の欄の「１．訂正の内容」の項の［訂正事項ア］ないし［訂正事項エ］を参照。）
　「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に
不織布の
爪付き
した
　　【請求項２】ジオテキスタイルが少なくとも経線に補強用芯材を埋設した芯材補強ネットである請求項１記載の自然石連結マット。
　　【請求項３】ジオテキスタイルがメッシュ状織編物を樹脂で固めた樹脂固めネットである請求項１記載の自然石連結マット。
　　【請求項４】ネット面にヘチマ繊維状の植生基盤材を敷設している請求項１〜３いずれかに記載の自然石連結マット。
　　【請求項５】ネット状体の周辺部に孔開きベルト部を有する請求項１〜４いずれか１項記載の自然石連結マット。
　　【請求項６】アンカーが金属拡張アンカーまたはケミカルアンカーからなる
あと
　　【請求項
７
　
３．甲号各証に記載の発明
（１）
甲第Ａ１号証
　「【０００４】【課題を解決するための手段】本発明は、その目的を達成するために提案されたものであり、その構成は、自然石またはコンクリート等の塊体の適所に１個又は数個の凹穴を穿設し、これに打込みアンカーを打込んだ塊体の多数を適宜配列し、これに高強度の網目状の織布を被覆し、織布の網目より座金を介して打込みアンカーにボルトを螺合してこれらを一体としたことを特徴としたものである。
　そのようにすることにより、塊体と織布とが一体となり、剥離することなく強固な連設マットが構成され、何時までも護岸、保護工を保持するようにしたものである。
　【０００５】【発明の実施の形態】本発明を図面に付いて詳細に説明する。１は、自然石またはコンクリート等の擬石の塊体であり、その塊体１には１個又は数個の凹穴２を穿設する。３は打込みアンカーであり、凹穴２に打ち込んでいる。そのように形成した塊体１の多数を配列する。４は、その表面に被覆した高強度の網目状の織布である。５は、座金であって、織布４の表面で凹穴２の存在する位置に配置している。６は、ボルトであって座金５を介して打込みアンカー３に螺合したものである。７は植物である。
　前記の本発明に使用する織布４は、高強度のポリエステル繊維を樹脂加工したものである。通常に使用されている塊体の大きさは平均して直径２０〜５０ｃｍである。織布の目合９×９ｍｍ程度のものを使うものであり、この目合を通して使用するボルトは直径８ｍｍが丁度合うことになる。
　さて、塊体１を吊り上げる場合、座金５とボルト６で織布４を挾み込むわけであるが、座金５に接する網目の交接点が多い程織布４は張力に強いことになる。座金５の直径と交接点、座金１ケ所当たり糸の支持本数は次ぎの表?１のとなり、塊体のお大きさにより座金５の大きさを決定することができる。
　前記のアンカー３であるが、これは図５に示したように、上方の内部に螺旋孔３１を設け、下方の外周に縦溝３２が対称に形成され、下端に凹部３３が設けられ、これに楔３４が嵌合されたものである。図８に示したものは、そのように形成された上端の外周にフランジ３５を設けたものである。座金５であるが、塊体１の大きさ重量により、直径３０ｍｍから６０ｍｍのものが使用されるものである。
　塊体１をコンクリート等の擬石とするときは、塊体１の製作の時にアンカー３を埋め込んで置けばよいものである。
　【０００６】本発明は、塊体１の凹穴２に、打込みアンカー３を打込むと、打込みアンカー３の下端に嵌合している楔３４が凹部３２に食い込み、打込みアンカー３の下部は縦溝３２の外周が外方に開いて反力により凹部３３に固着され、その塊体１の表面に高強度の網目状の織布４を被覆し、織布４の網目より座金５を介して打込みアンカー３を打込みこれにボルト６を螺合してこれらを一体としてマットを形成する。そのように形成したマットの多数を法面に敷設し、マット間を連結金具によって接続し、マット間に土砂を充填したり、塊体１間に植物７を植設して施工されるものである。」
　
（２）
甲第Ａ２号証
　「【００２５】図１において、符号１は護岸である。この護岸１は、その護岸法面（法尻等を含む）１ａに、吸い出し防止シート２を介して実施形態に係る土木構築物用ユニット３を多数敷設しており、その各土木構築物用ユニット３は，隣り合うもの同士が連結されている。
　【００２６】上記吸い出し防止シート２は、予め上記護岸法面１ａに敷設されて土砂等の吸い出しを防止する機能を有し、その素材としては、ある程度柔らかいものが用いられている。
　【００２７】上記各土木構築物用ユニット３は、図２、図３に示すように、網状片としての金網４に複数の自然石（石）５が取付けられている。
　【００２８】金網４は、本実施形態においては、全体が矩形形状（例えば一辺２ｍの正方形）とされた菱形金網とされており、金網４は、複数の第１区画要素６と複数の第２区画要素７とにより形成されている。各第１区画要素６は、所定間隔毎に略真っ直ぐ延びた状態で配設されており、該各第１区画要素６は互いに平行に配置されている。各第２区画要素７も、互いに平行な関係をもって、所定間隔毎に略真っ直ぐ延びた状態で配設されており、この各第２区画要素７は、金網４の厚み方向において、ボルト（後述）の厚みよりも幾分長い所定の段差Ｈもって、複数の第１区画要素６に対して交差された状態で一体化されている。これにより、全体形状として、所定の段差Ｈに基づく所定厚みのシート形状が形成されると共に、隣り合う第１区画要素６と隣り合う第２区画要素７とに基づき、菱形の網目８が区画されることになっている。
　【００２９】具体的には、金網４が菱形金網であることから、図３に示すように、各第１、第２区画要素７、８は、複数本の線材（段差をもってジグザグ状とされたもの）９を組む（絡ませる）ことにより形成されており、該各第１、第２区画要素７、８は、複数本の線材９の一部９ａを部分的につなぎ合わせる構成とされている。
　【００３０】このような金網４は、複数の第１区画要素６を複数の第２区画要素７よりも上側に位置するようにして護岸法面１に敷設されており、その金網４の上面側（複数の第１区画要素６側）が表面側（一面側）とされ、その金網４の下面側（複数の第２区画要素７側）が裏面側（他面側）とされている。
　【００３１】複数の自然石５としては、玉石、割石等の種々のものが用いられている。この各自然石５には、長尺なナット（通称アンカー金具）１０が埋設固定されており、その進入口１０ａは、自然石５の表面から外部に開口されている。この場合、ナット１０の埋設固定は、本実施形態においては、自然石５にドリルを用いて穴１１をあけ（図４参照）、その穴１１内に楔１２をセットし、その穴１１内に、挿入先端部に複数のスリット１３（図３参照）を有するナット１０をハンマー２０により打ち込み（図５参照）、楔１２によって拡開されたナット１０の拡開部１０ｂを穴１１内周面に係合すること（図６参照）により得られる。
　【００３２】このような複数の自然石５は、前記金網４の表面上に配置されており、各自然石５内におけるナット１０の進入口１０ａは、金網４の表面に向けられている。尚、図２、図３においては、金網４の表面は下向きにされている。
　【００３３】金網４に対する複数の自然石５の取付けには、本実施形態においては、前記ナット１０の他に、座金１４とボルト１５とが用いられている。
　【００３４】座金１４は、図３に示すように、長尺な板状体とされている。この座金１４は、その厚みが第１区画要素６と第２区画要素７との所定の段差Ｈよりも十分に薄くされており、その長手方向長さとして、少なくとも隣り合う第１区画要素６同士間の長さＬ１以上の長さが確保され、その幅方向長さとして、隣り合う第２区画要素７同士間（長さＬ２）に略適合して収まる長さが設定されている。この座金１４には、挿通孔１７が形成されており、その挿通孔１７は、座金１４の長手方向中央部に位置されている。
　【００３５】このような座金１４は、図３に示すように、各自然石５毎に金網４の裏面に対してそれぞれセットされており、座金１４は、該当する網目８において、該網目８を区画する隣り合う第２区画要素７同士間に収納されると共に、該網目８を区画する隣り合う第１区画要素６を跨ぐように配設され、その座金１４の挿通孔１７は、その網目８を介して自然石５内のナット１０の進入口１０ａに臨むようにされている（図３中、一点鎖線参照）。
　【００３６】ボルト１５は、図２、図３に示すように、既知の如く、雄ねじを有する軸部１８と、該軸部１８よりも拡径された頭部１９とを有しており、そのボルト１５の軸部１８を金網４の裏面側から座金１４の挿通孔１７、金網４の網目８を挿通した後、ナット１０に螺合され、ボルト１５の頭部１９と自然石５とは、座金１４及び金網４を挟持し、金網４の表面に自然石５を固定することになっている。この場合（締結時）、ボルト１５の頭部１９は、第１区画要素６と第２区画要素７との段差Ｈ内に収まり、ボルト１５の頭部１９は金網４の裏面（第２区画要素７）よりも外方に突出しないようになっている。」
　
（３）
甲第Ａ３号証
　「【０００９】【課題を解決するための手段】上記の課題を解決し、その目的を達成する手段として、本考案では、数コース毎に片隣りのウェール間あるいは数ウェール間にわたる振り幅で編成した経編地で、該経編地の地編糸の複数のウェールに経方向に合成繊維太糸が編込まれる経糸群と、該経糸群に対して数コース毎に緯方向に編込挿入される合成繊維太糸とからなる緯糸または緯糸群で格子状基布を構成し、該格子状基布を被覆層で被覆した土木用格子状シートを開発し、採用した。
　【００１０】本考案に用いられる格子状シートは、ポリエステル、ポリアミド、ポリプロピレン、ポリビニルアルコール等の合成繊維マルチフィラメント糸等を用いてラッセル編みで編成されたものを基礎として、直線状に経方向に走る太糸の経糸群と、数コース毎に直線状に緯方向に挿入される太い緯糸または緯糸群とで格子状を形成している。その経糸群と緯糸または緯糸群は前述の各繊維の他、アラミド、ポリアリレート、ポリエチレン等の合成繊維、マルチフィラメント糸、解織糸およびガラス繊維等が用いられる。」
　「【００１４】格子状基布を被覆する被覆層としては、天然ゴム、合成ゴム、合成樹脂、アスファルト系材料等が用いられ、合成樹脂としては、ポリ塩化ビニール樹脂、アクリル樹脂、エチレン?酢酸ビニル共重合体、塩ビー酢ビ共重合体、ポリウレタン樹脂等を用いることができる。また、その層着の方法は、含浸法、コーティング法、トッピング法、スプレー法などの方法で行うことができる。合成樹脂等の付着量は基布に対して３０〜３００ｗｔ％の範囲である。この被覆層を被覆することにより交点強度が強くなる。」
　
（４）
甲第Ａ４号証
　「【０００６】【課題を解決するための手段】上記目的を達成するために請求項１の発明にあっては、４つの辺部をもって矩形状に形成される枠線に、該枠線内において網状片が保持され、該網状片の一面側に複数の石が配置され、該各石が該網状片に対して取付けられている土木構築物用ユニットにおいて、
　前記辺部の延び方向内方部同士が、隣合う辺部同士全てにおいて、連結線を介して連結されている構成としてある。」
　「【００１５】【発明の実施の形態】以下、本発明の実施形態について図面に基づいて説明する。
　図１、図２は第１実施形態を示すものである。この第１実施形態において、１は、護岸法面等に敷設すべき本実施形態に係る土木構築物用ユニットで、この各土木構築物用ユニット１は、網状片としての金網２の一面側上に複数の石としての複数の自然石３が万遍なく配置され、その各自然石３はエポキシ樹脂等の接着剤４により金網２と一体化されている。
　【００１６】上記金網２は、その周囲において４つの辺部５ａ〜５ｄをもって矩形状（本実施形態においては正方形状）とされる枠線（骨線）５を有し、その枠線５には、その内部において網体６が保持されている。網体６は、線材７を用いて網目８を形成しており、この線材７としては、本実施形態においては、線径４ｍｍ程度のものが用いられ、その網目８は、一辺が５ｃｍ程度に設定されている。
　【００１７】勿論、金網２としては、ひし形金網、きっ甲金網、合成樹脂ネット、又はワイヤを枠線５内に水平に張設して、複数の目として、網目又はメッシュを形成するようにしたもの等を適宜用いるようにしてもよい。」
　
（５）
甲第Ａ５号証
　「【００１７】【発明の実施の形態】以下、本発明の実施形態について図面に基づいて説明する。
　図１〜図６は第１実施形態を示すものである。この第１実施形態において、１は、護岸法面等に敷設すべき土木構築物用ユニットとしての本実施形態に係る自然石保持ユニットで、この各自然石保持ユニット１は、屈撓性シ?ト体としての不織布２の一面側上に複数の自然石３が万遍に配置され、その各自然石３はエポキシ樹脂等の接着剤４により不織布２と一体化されている。
　【００１８】上記不織布２は、一定の厚みを有し、その形状は、本実施形態においては、図１に示すように、正方形状（例えば一辺が２ｍ）とされている。この不織布２は、その全周において、外縁から内方側に一定の長さ（例えば５〜１５ｃｍ程度）の部分が重合部５とされて、該重合部５には自然石３が配置されないことになっている。この重合部５には、不織布２の全周に亘って間隔をあけて複数の孔６が形成されており、その各孔６の周縁部には、補強のためにリング状の金具７が取付けられている（図６参照）。
　【００１９】上記自然石３としては、玉石は勿論、割石等が用いられており、その大きさは、直径が１００〜５００ｍｍ程度とされている。このような自然石３は、複数用意され、その複数の自然石３は、本実施形態においては、前記重合部５へはみださないようにしつつ、図１に示すように、不織布２に対して接着剤４により接着されている。」
　
（６）
甲第Ｂ１号証
　「【０００７】【課題を解決するための手段】上記目的を達成するために、本発明に係る自然石を用いた護岸施工方法は以下の構成による。即ち、本発明に係る自然石を用いた護岸施工方法は、護岸すべき法面を平滑整形した上で砂利層を設ける工程と、当該砂利層の上に吸い出し防止材を布設する工程と、合成樹脂の網地より成るネット材を布設する工程と、予め自然石に穿設された挿入穴にグリップアンカーの基部を楔着し、根付ロープにより当該グリップアンカーと上記ネット材を繋止する工程と、更に上記ネット材に繋止された自然石相互間に形成された空隙部に自然石を間詰めすると共に裏込材を裏込めする工程より成ることを要旨とするものである。
　【０００８】【実施例】以下、本発明の一実施例を図面を用いて詳細に説明するものとする。先ず、図１は本発明に係る自然石を用いた護岸施工方法の概要を示した断面図である。図において、護岸に供せられる法面１は予め所定の勾配に平滑整形されたものであり、次に、法面１の上には砂利層２が形成されている。この際、砂利層２は１００ミリメートルから２００ミリメートル厚で転圧形成されている。更に、砂利層２の上には吸い出し防止材３が布設されている。ここで、吸い出し防止材３としては、捲縮加工を施したポリエステル主体の合成繊維を不規則に配列して繊維層を形成し、さらにニードリング加工により当該繊維を三次元的に交絡・結合させたものであり、例えば、株式会社　田中製のニードフルマットが使用できる。次にまた、吸い出し防止材３の上には、ポリエチレン製のネット材である、泰東製綱株式会社製のタイレンハード綱地より成るネット材４が布設されており、後述の図２に示す如く当該ネット材４は法面１の天端に打設されたコンクリート基礎５に植設されたフック部材６に引掛け金具を介して引掛けられているものとする。
　【０００９】一方、図２は本発明に使用される自然石をネット材に繋止する際の概要を示した平面図であるが、自然石７には予め挿入穴９を穿設しておき、更に上記挿入穴９にグリップアンカー８の基部を楔着するものとする。ここでグリツプアンカー８は市販のものでよく、グリツプアンカー８の基部を挿入穴９に押し入れグリップアンカー８の先端を打ちつけると、グリツプアンカー８の基部が挿入穴９の底部を衝止すると共に基部が挿入穴９の径方向に拡張して楔書できるものである。そして、自然石７をネット材４の上に布設する際は、図１に示すように河床１０から法面１の法尻部分には上記自然石７の内でも重量のある２トン超クラスのものを根石として配置するようにして、次に法面１の下方より上方にかけて自然石７を積み並べて据えつけるようにする。ここで、積み並べて配置された自然石７は、図２に示されるようにネット材４と自然石７に楔着されたグリップアンカー８を引掛け金具を介して引掛け更に、根付ロープ１１で繋ぎ止めるようにする。」
　
（７）
甲第Ｂ２号証
　「【００１３】図５に示すように、５分勾配の斜面６に、最適な角度、必要な深さに穿孔し、必要強度に合致したアンカー４を打ち込み、セメントミルクを周囲に注入してアンカーを斜面に固定する。アンカー４の上端は５０センチメートル斜面から突出させる。
　　【００１４】アンカー４にアンカー孔を合わせて、基台７を斜面６に横方向に設置する。次いで、基台の四隅に付設された高さ調節脚７３を操作して、基台のレベルを調節し、ナットを締めて基台を固定する。次に、裏面に付設してある袋状型枠７６にモルタル７７を注入する。
　所定の位置に基台が固定できたら、基台７の上に法枠１を設置する。基板から突出するボルト７４に、法枠の底面の連結孔を通して、法枠１を基台の上に設置する。各ボルトには植栽ポット側からナット７２を締めて法枠１を基台に固定する。
　　【００１５】最終的には、基板上に突出するアンカーには、一辺５０センチメートルの肉厚で、後メッキ鋼板からなる抑止板、座金、必要に応じて、テーパー座金を通した後、アンカーを緊張する。
　植栽ポットには透水性のマットを周囲・底面に敷設し、植生基盤材を充填した後、小木を植生する。
　尚、この実施例の法枠１と基台７は、予め熔接、リベットなどで接合して、図６に例示する、断面形状が略Ｈ型の法枠１とすることも可能である。」
　
（８）
甲第Ｂ３号証
甲第Ａ４号証
　
（９）
甲第Ｂ４号証
　「【課題を解決するための手段】前記目的を達成するために、本発明は、複数の線材を網目状に連結して複数の網目を形成し、複数の網目のうち任意の網目の一方の面側に網目より大きい板材を分散して配置し、各板材の一方の面に自然石をそれぞれ固着し、各自然石と線材とを各板材を介して一体的に形成してなる護岸用ブロックを構成したものである。
　【０００７】さらに、本発明は、折り曲げ加工された複数の線材を模様を形成するように板材上に配置するとともに、各線材の一端を板材に固着して単一のブロック要素を形成し、単一のブロック要素を複数個配置して相隣接するブロック要素の線材を互いに連結し、複数個のブロック要素のうち任意のブロック要素の板材に接着剤を介して自然石をそれぞれ固着し、各自然石と線材とを各板材を介して一体的に形成してなる護岸用ブロックを構成したものである。
　【０００８】
　前記した手段によれば、各自然石は接着剤を介して板材に固着されているため、各自然石と各板材との接着面積が大きく、各自然石を各板材に強固に固定することができる。」
　「【００３５】さらに、本発明の第７の実施形態を図２１及び図２２に基づいて説明する。この実施形態は、アンカーボルト２００によって板材１６を自然石を固定する支持体としての金網１２と自然石２０とに固定しようとするものである。板材１６にはアンカーボルト２００が挿通される貫通孔２０２が形成されている。一方自然石２０にもこのボルトが挿入される貫通孔２０４が形成されている。
　【００３６】自然石２０を金網に固定する場合には、アンカーボルト２００を板材と自然石の貫通孔に挿入した後、アンカーボルトの下端を座金２０６を介してナット２０８で締結する。アンカーボルトの自然石側は、アンカーボルトの長さ方向に二つに切り割れており、ナットをアンカーボルト先端に締結して自然石と金網とを固定するとアンカーボルトの自然石側先端が径方向に拡大して、アンカーボルトが自然石に圧着されて固定されるようになる。
　【００３７】この実施形態によれば、接着材を使用することなく自然石を網状体に固定することが可能となる。」
　
（１０）
甲第Ｂ５号証
　「【００３２】【発明の実施の形態】以下、本発明の実施形態について図面に基づいて説明する。
　図１〜図４において、１１は本実施形態に係る護岸施工用自然石で、該護岸施工用自然石１１は、自然石１に連結具としての連結金具２が接着剤６を介して接着されている。」
　「【００４０】また、前記護岸施工用自然石１１は、その使用の別の態様として、自然石保持ユニットの製造に用いられる。
　すなわち、工場或は施工現場において、被取付け体として、一片が２ｍ程度の矩形形状の金網７を多数用意し、その各金網７に、前述の場合同様、連結金具２を介して複数の自然石１をそれぞれ連結する。そして、そのような各自然石保持ユニットを護岸法面１３に搬送して敷設する。」
　
（１１）
甲第Ｂ６号証
　「【実用新案登録請求の範囲】【請求項１】熱可塑性合成樹脂からなり、かつ樹脂ネットの破断時のタンジェンシャル・モジュラスが８０ｔ／ｍ以上となるようにこの樹脂ネットをネット補強繊維からなる芯材で繊維補強させ、またこの樹脂ネットの表面に排水用繊維状部材を設けたことを特徴とする土木工事用樹脂ネット。」（１ページ１欄１〜７行）
　「この実施例の経線１１は、第２図および第３図に示すように、樹脂ネット１０の破断時のタンジェンシャル・モジュラスをほぼ８０ｔ／ｍ以上とするために、すなわちこの実施例では５％伸長時の強力を幅方向１ｍあたり４ｔｍ以上とするために、高密度ポリエチレン製の経線本体１１１に、アラミド繊維（全芳香族ポリアミド繊維）からなるフィラメント状の芯材２０を埋設したものである。」（２ページ４欄２９〜３５行）
　
（１２）
甲第Ｂ７号証
甲第Ａ３号証
　
（１３）
甲第Ｂ８号証
　「【特許請求の範囲】
　　【請求項１】土壌粒子に樹脂を混合し、溶融紡糸して得られる土壌繊維及び土壌繊維を素材とした織布、又は不織布を、土砂又は植生基材に混合、敷設することを特徴とした土壌繊維を用いた補強土工法。
　　【請求項２】土壌粒子に溶融紡糸樹脂を混合して溶融紡糸することにより得られる土壌繊維、或はこの繊維を素材として構成された繊維製品からなることを特徴とする補強土用資材。
　　【請求項３】土壌粒子に溶融紡糸樹脂を混合して溶融紡糸することにより得られる土壌繊維を素材として構成された繊維製品からなることを特徴とする植生基盤素材及び植生資材。
　　【請求項４】土壌粒子に混合する樹脂の一部を水溶性とし、土壌粒子を部分的に繊維の表面に露出させることを特徴とした請求項１記載の土壌繊維を用いた補強土工法。
　　【請求項５】土壌粒子に混合する樹脂の一部を水溶性とし、土壌粒子を部分的に繊維の表面に露出させることを特徴とした請求項２記載の補強土用資材。
　　【請求項６】土壌粒子に混合する樹脂の一部を水溶性とし、土壌粒子を部分的に繊維の表面に露出させることを特徴とした請求項３記載の植生基盤素材及び植生資材。
　　【請求項７】土壌繊維を延伸することにより、樹脂の被覆を破り、土壌粒子を部分的に繊維の表面に露出させることを特徴とした請求項１記載の土壌繊維を用いた補強土工法。
　　【請求項８】土壌繊維を延伸することにより、樹脂の被覆を破り、土壌粒子を部分的に繊維の表面に露出させることを特徴とした請求項２記載の補強土用資材。
　　【請求項９】土壌繊維を延伸することにより、樹脂の被覆を破り、土壌粒子を部分的に繊維の表面に露出させることを特徴とした請求項３記載の植生基盤素材及び植生資材。」
「【００５８】本発明製品は上記のような伸縮性袋体だけではなく、シート状、マット状、フエルト状、木毛板状、束状、タワシ状、ロープ状などの形態でも植生用の素材や資材として利用でき、この場合は、粘土粒子の優れた保水性、保肥性が長期間発揮され、施工された土砂やコンクリートに植物の生育に好適な環境を造り出すのである（図７参照）。」
　
（１４）
甲第Ｂ９号証
　「１　高周波融着性を有しない糸条物を経緯方向に配列し編織成してなる比較的粗い目を有するシートに、高周波融着性を有する重合体を付着せしめてなる高周波縫合可能な粗目農林土木建築用シートにおいて、該シートの周縁の耳部を形成する経又は緯或いは経緯両者の糸条物の本数が耳部以外に比較して特に密に構成せしめられることを特徴とする高周波縫合可能な粗目農林土木建築用シート。」（１ページ１欄２〜１０行）
　「また、第４図に示す如く、耳部１０ｃｍを５ｃｍに折り返して端部にロープ３を挿入し、該ロープ部分を残して、他の部分４を高周波溶着して一体化し、部分４にハトメ５を打設した。」（３ページ６欄３１〜３４行）
　
４．当審の判断
（１）
取消理由Ａ１
　択一的記載の要素を削除する訂正により、請求項１に記載された発明を特定する事項が、前記「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に
不織布の
爪付き
した
　
（２）
取消理由Ａ２
　訂正により、【請求項７】が削除され、また、【請求項８】は「【請求項７】請求項１〜６のいずれか記載の自然石連結マットを、吊り下げ金具に懸架用部材を介して掛着し、吊り下げ金具を持ち上げて上記マットを吊り下げ、移動して所定位置に敷設する敷設工法。」のように訂正された。
　しかして、特許法第３６条第５項の規定は、特許法第１１３条第４号に規定されている特許異議の申立ての理由とはなっていないので、申立人Ａの特許法第３６条第５項についての取消理由の主張は、もとより採用することはできない。
　また、請求項に記載すべき発明特定事項を他の請求項を引用する引用形式で請求項を表現することと、請求項が独立請求項であるのか或いは従属請求項であるのかという問題とは、まったく関係のないことであり、引用形式で表現されている請求項であっても、その請求項が個々の１つの請求項であることには変わりはなく、そして、他の請求項の技術事項の記載の引用をもって、当該請求項に係る発明の特定事項を記載することにより、当該請求項の発明特定事項を簡潔かつ明確に記載することは、何らの問題もないことであるから、申立人Ａの特許法第３６条第６項の取消理由Ａ２の主張も、採用することができない。
　
（３）
取消理由Ａ３
　訂正により、本件発明１の発明特定事項が、前記「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に不織布のスペーサーを介して爪付きアンカープレートを被せ、アンカーを打ち込んで、ネット状体と自然石とを固着した自然石連結マット。」のように限定的に減縮される訂正がされたことは、既述したとおりである。
　しかして、この訂正の結果として、申立人Ａ及び申立人Ｂの提出したいずれの甲号各証にも、本件発明１の「ネット状体の他面側から自然石に不織布のスペーサーを介して爪付きアンカープレートを被せ、」の発明特定事項についての記載が認められず、また示唆する記載もない。そして、前記発明特定事項が本願特許出願時の周知技術であるとも、或いは、本件特許明細書の記載からみて自明の事項であるとも認めることができない。
　したがって、本件発明１が、甲第Ａ１号証又は甲第Ａ２号証に記載された発明と同一であるということができないから、申立人Ａの取消理由Ａ３の主張は、採用することができない。
　
（４）
取消理由Ａ４
　請求項３が、請求項１を引用する形式で記載されていることにより、請求項３に係る本件発明３が、本件発明１の下位概念の発明であることは明らかである。
　そして、前記「（３）取消理由Ａ３」欄において既述したとおり、請求項１に係る発明である本件発明１を甲第Ａ１号証又は甲第Ａ２号証に記載された発明と同一であるということができない以上、本件発明１の下位概念の発明である本件発明３も、甲第Ａ１号証又は甲第Ａ２号証に記載された発明と同一であるということができない。
　したがって、本件発明３は甲第Ａ１号証に記載された発明と同一であるとする申立人Ａの取消理由Ａ４の主張も、採用することができない。
　
（５）
取消理由Ａ５
　本件発明１の発明特定事項が訂正により限定的に減縮され、そして、請求項５が、少なくとも請求項１を引用する形式で記載されていることにより、本件発明１の下位概念の発明の本件発明５が、請求項１に記載の「ネット状体の他面側から自然石に不織布のスペーサーを介して爪付きアンカープレートを被せ、」の発明特定事項を有していることは明らかである。
　しかして、前記訂正の結果として、申立人Ａ及び申立人Ｂの提出したいずれの甲号各証にも、本件発明５の「ネット状体の他面側から自然石に不織布のスペーサーを介して爪付きアンカープレートを被せ、」の発明特定事項についての記載がなく、また示唆されてもいない。そして、前記発明特定事項が本願特許出願時の周知技術であるとも、或いは、本件特許明細書の記載からみて自明の事項であるとも認めることができない。
　してみると、申立人Ａ及び申立人Ｂの提出した上記甲号各証には、本件発明５の発明特定事項の一部が個々に記載されているだけであり、上記甲号各証（甲第Ａ１号証、甲第Ａ２号証及び甲第Ｂ４号証を除く）に記載の発明を組み合わせたとしても、もとより本件発明５の構成を得ることができない。そして、本件発明５は、前記発明特定事項により、特許権者がその意見書において述べているような格別顕著な作用効果を奏するものと認められる。
　以上のとおりであるから、本件発明５が甲第Ａ５号証に記載された発明に基いて当業者が容易に発明をすることができたものである、とすることはできない。
　したがって、申立人Ａの取消理由Ａ５の主張は、採用することができない。
　
（６）
取消理由Ａ６
　請求項６が、請求項１を引用する形式で記載されていることにより、請求項６に係る本件発明６が、本件発明１の下位概念の発明であることは明らかである。
　そして、前記「（３）取消理由Ａ３」欄において既述したとおり、請求項１に係る発明である本件発明１を甲第Ａ１号証又は甲第Ａ２号証に記載された発明と同一であるということができない以上、本件発明１の下位概念の発明である本件発明６も、甲第Ａ１号証又は甲第Ａ２号証に記載された発明と同一であるということができない。
　したがって、本件発明６は甲第Ａ１号証に記載された発明と同一であるとする申立人Ａの取消理由Ａ６の主張は、採用することができない。
　
（７）
取消理由Ａ７
　訂正により、【請求項７】が削除され、また、【請求項８】が「【請求項７】請求項１〜６のいずれか記載の自然石連結マットを、吊り下げ金具に懸架用部材を介して掛着し、吊り下げ金具を持ち上げて上記マットを吊り下げ、移動して所定位置に敷設する敷設工法。」のように訂正されたことは、前記「（２）取消理由Ａ２」欄において既述したとおりである。
　しかして、訂正後の請求項７が、少なくとも請求項１を引用する形式で記載されていることにより、請求項７に係る本件発明７が、本件発明１の前記「ネット状体の他面側から自然石に不織布のスペーサーを介して爪付きアンカープレートを被せ、」の発明特定事項を有する発明であることは明らかである。
　そして、申立人Ａ及び申立人Ｂの提出したいずれの甲号各証にも、本件発明７の「ネット状体の他面側から自然石に不織布のスペーサーを介して爪付きアンカープレートを被せ、」の発明特定事項についての記載がなく、また示唆されてもいない。そして、前記発明特定事項が本願特許出願時の周知技術であるとも、或いは、本件特許明細書の記載からみて自明の事項であるとも認めることができない。
　してみると、申立人Ａ及び申立人Ｂの提出した上記甲号各証には、本件発明７の発明特定事項の一部が個々に記載されているだけであり、上記甲号各証（甲第Ａ１号証、甲第Ａ２号証及び甲第Ｂ４号証を除く）に記載の発明を組み合わせたとしても、もとより本件発明７の構成を得ることができない。そして、本件発明７は、前記発明特定事項により、特許権者がその意見書において述べているような格別顕著な作用効果を奏するものと認められる。
　以上のとおりであるから、本件発明７が甲第Ａ４号証又は甲第Ａ５号証に記載された発明に基いて当業者が容易に発明をすることができたものである、とすることはできない。
　したがって、申立人Ａの取消理由Ａ７の主張は、採用することができない。
　
（８）
取消理由Ｂ１
　訂正により、本件発明１の発明特定事項が、限定的に減縮されたことは、既述のとおりである。
　しかして、この訂正の結果として、申立人Ａ及び申立人Ｂの提出したいずれの甲号各証にも、本件発明１の「ネット状体の他面側から自然石に不織布のスペーサーを介して爪付きアンカープレートを被せ、」の発明特定事項についての記載が認められず、また示唆する記載もない。そして、前記発明特定事項が本願特許出願時の周知技術であるとも、或いは、本件特許明細書の記載からみて自明の事項であるとも認めることができない。
　したがって、本件発明１が、甲第Ｂ１号証に記載された発明であるということができないから、申立人Ｂの取消理由Ｂ１の主張は、採用することができない。
　
（９）
取消理由Ｂ２
　本件発明１の発明特定事項が、訂正により限定的に減縮され、また、【請求項７】が削除され、その結果、【請求項８】が「【請求項７】請求項１〜６のいずれか記載の自然石連結マットを、吊り下げ金具に懸架用部材を介して掛着し、吊り下げ金具を持ち上げて上記マットを吊り下げ、移動して所定位置に敷設する敷設工法。」のように繰り上げられたことは、前記「（１）取消理由Ａ１」及び「（２）取消理由Ａ２」欄に既述したとおりである。
　そして、請求項２ないし請求項７の各請求項は、請求項１を引用する形式で記載されているのであるから、請求項２ないし請求項７の各請求項に係る本件発明２ないし本件発明７の各発明は、本件発明１の発明特定事項である「ネット状体の他面側から自然石に不織布のスペーサーを介して爪付きアンカープレートを被せ、」をそれらの発明特定事項として有していることも明らかなことである。
　しかも、申立人Ａ及び申立人Ｂの提出したいずれの甲号各証には、前記発明特定事項についての記載がなく、また示唆する記載もない。そして、前記発明特定事項が本願特許出願時の周知技術であるとも、或いは、本件特許明細書の記載からみて自明の事項であるとも認めることができない。
　してみると、申立人Ａ及び申立人Ｂの提出した上記甲号各証には、本件発明１ないし本件発明７の発明特定事項の一部が個々に記載されているだけであり、上記甲号各証（甲第Ａ１号証、甲第Ａ２号証及び甲第Ｂ４号証を除く）に記載の発明を組み合わせたとしても、もとより本件発明１ないし本件発明７の構成を得ることができない。そして、本件発明１ないし本件発明７は、前記「ネット状体の他面側から自然石に不織布のスペーサーを介して爪付きアンカープレートを被せ、」の発明特定事項により、特許権者がその意見書において述べているような格別顕著な作用効果を奏するものと認められる。
　以上のとおりであるから、本件発明１ないし本件発明７が甲第Ｂ１号証ないし甲第Ｂ９号証（甲第Ｂ４号証を除く）に記載された発明に基いて当業者が容易に発明をすることができたものである、とすることはできない。
　したがって、申立人Ｂの取消理由Ｂ２の主張は、採用することができない。
　
（１０）
取消理由Ｂ３
　訂正により、本件発明１の発明特定事項が限定的に減縮された結果として、申立人Ａ及び申立人Ｂの提出したいずれの甲号各証にも、本件発明１の「ネット状体の他面側から自然石に不織布のスペーサーを介して爪付きアンカープレートを被せ、」の発明特定事項についての記載が認められず、また示唆する記載もなく、そして、前記発明特定事項が本願特許出願時の周知技術であるとも、或いは、本件特許明細書の記載からみて自明の事項であるとも認めることができないことは、前記「（３）取消理由Ａ３」欄に既述したとおりである。
　したがって、本件発明１が甲第Ｂ４号証に記載された発明と同一であるということができないから、申立人Ｂの取消理由Ｂ３の主張は、採用することができない。
　
（１１）
取消理由Ｂ４
　訂正により、請求項１に記載された発明を特定する事項が、前記「【請求項１】高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に不織布のスペーサーを介して爪付きアンカープレートを被せ、アンカーを打ち込んで、ネット状体と自然石とを固着した自然石連結マット。」のように限定的に減縮されたことにより、請求項１に係る発明の特定事項は明確であるということができ、また、特許明細書に開示されている「アンカー」は、金属拡張アンカー等の「あと施工アンカー」をも包含する意義を有することが明らかであるから、訂正後の請求項１に係る発明の特定事項は、明細書の発明の詳細な説明に記載された範囲内の技術事項であるといえるので、申立人Ｂの取消理由Ｂ４の主張は、採用することができない。
　
（１２）
取消理由Ｂ５
　前記「（１１）取消理由Ｂ４」欄に前述したように、請求項１に記載された発明を特定する事項が、訂正により前記のように限定的に減縮された結果として、「ネット状体の網目」と「不織布のスペーサ」と「爪付きアンカープレート」と「アンカー」との関係は明確であるといえるから、取消理由Ｂ５についても、申立人Ｂの主張は、採用することができない。
　
第４　むすび
　以上のとおりであるから、特許異議の申立ての理由によっては本件発明についての特許を取り消すことはできない。
　また、他に本件発明についての特許を取り消すべき理由を発見しない。
　よって、結論のとおり決定する。
【異議決定日】
平成１６年９月３日（２００４．９．３）
【訂正の要旨】
審決（決定）の【理由】欄参照。
（５４）【発明の名称】
自然石連結マット、その作成方法および敷設方法
（５７）【特許請求の範囲】
　【請求項１】
　高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に
不織布の
爪付き
した
　【請求項２】
　ジオテキスタイルが少なくとも経線に補強用芯材を埋設した芯材補強ネットである請求項１記載の自然石連結マット。
　【請求項３】
　ジオテキスタイルがメッシュ状織編物を樹脂で固めた樹脂固めネットである請求項１記載の自然石連結マット。
　【請求項４】
　ネット面にヘチマ繊維状の植生基盤材を敷設している請求項１〜３いずれかに記載の自然石連結マット。
　【請求項５】
　ネット状体の周辺部に孔開きベルト部を有する請求項１〜４いずれか１項記載の自然石連結マット。
　【請求項６】
　アンカーが金属拡張アンカーまたはケミカルアンカーからなる
あと
　【請求項
７
　請求項１〜６のいずれか記載の自然石連結マットを、吊り下げ金具に懸架用部材を介して掛着し、吊り下げ金具を持ち上げて上記マットを吊り下げ、移動して所定位置に敷設する敷設工法。
【発明の詳細な説明】
　【０００１】
　【発明の属する技術分野】
　本発明は、多自然型の河川護岸（低水護岸や高水護岸）や湖沼護岸、河川敷または盛土法面などに使用される自然石連結マットに関する。
　【０００２】
　【従来の技術】
　近代の護岸などの工事はコンクリート製堤防で両岸を囲ったり、さらには河川敷までコンクリートで固める工法が用いられてきたが、かかる護岸工事を施した河川は自然生態系を破壊し、自己浄化作用を乏しくするとともに、自然の景観機能を壊わすなど環境を悪化させ種々の公害問題などを起こすようになってきた。
　このため、環境保全上からも、自然生態系を変えることなく、天然自然に近い状態を出来るだけ保ちつつ、本来の目的とする水の溢流、決壊などの生じる恐れの少ない護岸工事が望まれているのが現状である。
　【０００３】
　かかる現状から、最近では河川護岸、盛土法面などの施工方法として自然石を積み上げる工法が多く採られるようになってきた。
　すなわち、自然石をかみ合わせ敷設および積み上げ敷設などの空石積工法と、地盤面に捨てコンクリートを行なって自然石を固定敷設するねり石積工法などがあるが、いずれの工法も施工が特殊で職人が時間をかけ敷設しており、コストおよび時間上からも問題がある。
　また、上記のように多自然型護岸や多自然型盛土法面が要望されており、自然石と植生および植栽の組み合わせが必須の要件になりつつある。
　【０００４】
　このような自然石と植生を組み合わせた護岸工法として、堤の斜面に植生マットを敷き、その上に金網を張って固定するとともに、この金網上にアンカーを挿入固着した自然石を多数個載置し、固着したアンカーを上記金網にステンレス線材などにより連結して石を固定するものが提案されている（特開平９−２３５７１５号公報）。
　この工法は、前述の多自然型護岸を形成するのに好適な方法であるが、植生マット、金網、自然石などの施工部材を個々に運んで、現場で組立や固定などを行う必要があり、時間的に長時間を要するうえ、コスト的にも、また多大な労力を要し、特に自然石の金網への固定は面倒なうえ、時間と熟練を要し、かつ確実性に充分でない問題がある。
　【０００５】
　【発明が解決しようとする課題】
　本発明の目的は、このような現状に鑑み、多自然型護岸や多自然型盛土法面の造成において、護岸表土や盛土法面表土がコンクリート、自然石により分断されることがなく、植生による自然回復をきわめて容易にし、かつ施工速度の向上と省力化による大幅な工期短縮を可能にする自然石連結構造体である。
　さらに、本発明の目的は、上記構造体を、容易に、短時間で、手間をかけずに作成し、敷設する方法でもある。
　【０００６】
　【課題を解決するための手段】
　すなわち、本発明は、以下の構成からなるものである。
（１）高分子樹脂を含んで構成されるジオテキスタイルからなるネット状体の片面側に自然石を固着した自然石連結マットであって、その固着手段が、ネット状体の片面側に自然石を配置し、ネット状体の他面側から自然石に
不織布の
爪付き
した
（２）ジオテキスタイルが少なくとも経線に補強用芯材を埋設した芯材補強ネットである（１）記載の自然石連結マット。
（３）ジオテキスタイルがメッシュ状織編物を樹脂で固めた樹脂固めネットである（１）記載の自然石連結マット。
（４）ネット面にヘチマ繊維状の植生基盤材を敷設している（１）〜（３）いずれかに記載の自然石連結マット。
（５）ネット状体の周辺部に孔開きベルト部を有する（１）〜（４）いずれかに記載の自然石連結マット。
（６）アンカーが金属拡張アンカーまたはケミカルアンカーからなるあと施工アンカーである（１）記載の自然石連結マット。
（７）
　【０００７】
　【発明の実施の形態】
　本発明は、上記のように護岸表土や盛土法面表土にコンクリート壁、あるいはコンクリートブロックの如きものを使用したり、また自然石を一つ一つ積み上げ敷設していく石積工法によるものでなく、予め多数の自然石が連結固定された自然石連結構造体を表土に直接敷設するものである。
　このため、作業はきわめて効率的であり、的確かつ迅速に施工が行え、大幅な工期短縮が可能になるとともに、コスト上からも大きなメリットがある。
　また、表土は、樹脂ネットと接しているため、植生、植栽植が貫通し、根がネットに絡んだ状態で活着し植生補強が行えると同時に、自然生態系の復元が容易に可能となる。
　【０００８】
　本発明に係わる樹脂製ネット（ジオテキスタイル）は、主として、経線に芯材を埋設し補強した芯材補強ネット、および格子状織編物を樹脂コーテングして固めた樹脂固めネットからなるものが使用される。芯材補強ネットは、高密度ポリエチレン、ポリプロピレン、ポリアミド、ポリエステルなどの熱可塑性合成樹脂を押し出し機の細孔から押し出してネット状に成形させた数ｍｍ〜十数ｃｍ、好ましくは６ｍｍ〜１５ｃｍの目合いを有する経線および緯線からなるネットであり、経線にはアラミド繊維、超高分子量ポリエチレン繊維、アモルファス金属繊維、炭素繊維などの補強用の長繊維からなる芯材が埋設されている。
　【０００９】
　また、樹脂固めネットは、合成繊維の格子状織編物を樹脂で固めて成形したもので、重量が３００〜１，０００ｇ／ｍ２、引張強度が４〜１５ｔｆ／ｍ、伸度が１５％程度、目合が２〜５０ｍｍのものが好ましい。
　この場合、緯糸を構成する合成繊維には、ポリエステル繊維、ポリエチレン繊維、ポリプロピレン繊維、ポリアミド繊維などの汎用繊維が単独で使用される。
　経糸は、通常、上記汎用繊維が用いられるが、アラミド繊維、超高分子量ポリエチレン繊維、アモルファス金属繊維、炭素繊維などの高強力を有する補強用繊維を合糸させてもよい。この樹脂固めネットは、格子状織編物を合成樹脂、ゴムあるいは瀝青材料などのエマルジョン液、溶液あるいは溶融物により、浸漬法、コーティング法などによって処理して仕上げることにより成形される。
　なお、芯材補強ネットおよび樹脂固めネットには、上記アラミド繊維、超高分子量ポリエチレン繊維などの補強用繊維は、経線や経糸に限らず、緯線や緯糸に入れてもよいことは言うまでもない。
　【００１０】
　本発明の自然石連結マットの大きさとしては、幅２〜３ｍ、長さ２〜１０ｍ程度が一般的に利用されるが、これに限られるものではないし、必要に応じて縫合などによって幅、長さ方向を延設して使用することができる。
　また、必要に応じてネットに上記したような補強繊維（布）やベルト材の如き材料で縦方向、横方向もしくはクロス状または格子状に補強材を組み込んでもよい。
　【００１１】
　また、本発明の自然石連結マットは、運搬あるいは作業時に保持するための吊り用単管挿入ループを有してもよい。
　その場合、補強のため、ネット状体の周辺部は目合を増加させたり、補強材を組み込んでもよい。
　上記吊り用単管挿入ループは、運搬あるいは作業時に保持する目的で、吊り下げ金具に懸架用部材を介して掛着されるためにも使用されるが、敷設時に、隣接した自然石連結マット同士あるいは護岸表土や盛土法面表土への固定に使用してもよい。
　締結する手段としては、金属製または合成樹脂製などの、ロープ、ワイヤー、紐、ベルト、鎖などで、締結してもよく、リング体あるいは板状体などの固定金具を用いて緊結することもできる。勿論、緊結したうえで接着剤で固着してもよい。
　【００１２】
　さらに、本発明のヘチマ繊維状植生基盤材は、ヘチマ繊維状の如く相互に絡み合った構造に形成された捲縮剛毛糸から構成されるもので、通常、低融点合成樹脂を被覆した合成樹脂製の剛毛糸を捲縮付与し、該剛毛糸の各接点を熱固定して形成される。
　例えば、繊度４，９００デニールのポリエステル製の剛毛糸に融点１４０〜１６０℃のポリブタジエン系樹脂を表面塗装して得られる繊度１０，０００デニールの被覆剛毛糸を押し込みローラーにて押し込み箱に押し込むことにより捲縮付与する。
　次に、この捲縮付与された捲縮剛毛糸を、密度０．０５ｇ／ｃｍ２で加圧充填してヘチマ繊維状の多孔質構造を形成し、この後、被覆樹脂のみが溶融する温度で加熱し、捲縮剛毛糸の各接点を熱固定することによって造られる。
　また、本発明のヘチマ繊維状植生基盤材は、熱可塑性合成樹脂糸条もしくは線条の多数を下向きのノズルより紡出して自然落下させ、これらの糸条もしくは線条が溶融状態を呈している間にこれらを一部冷却水中に浸漬して、斜状に配した１対のコンベヤーで挟んで上記糸条もしくは線条の下降速度より遅く引き取ることにより、各溶融糸条もしくは線条を摺曲して相互に立体網状に点接着集合させ、その後直ちにこれを上記コンベヤーにより冷却水中に導入して固化することによっても造られる。
　剛毛糸の素材としては、ポリエステルのほか、ナイロン６やナイロン６，６などのポリアミド、ポリプロピレン、ポリエチレンなどのポリオレフィンなど、この他の合成樹脂が使用できる。
　【００１３】
　被覆樹脂もポリブタジエン系に限定されないとともに、捲縮剛毛糸の繊度も約２，５００〜１０，０００デニール程度の任意のものが利用可能である。
　また、捲縮剛毛糸の密度は、上記０．０５ｇ／ｃｍ２限らず、約０．０３５〜０．０６０ｇ／ｃｍ２程度のものであれば任意選定可能であり、捲縮剛毛糸の糸構造も鞘成分／芯成分としてナイロン／ポリエステル、ポリエチレン／ナイロン、ポリブチレンテレフタレート／ポリエチレンテレフタレート、ポリ塩化ビニール／ポリエステル、ポリブロピレン／ポリエステルなどの低融点成分／高融点成分を組み合わせた、いわゆるシースコア型複合繊維ばかりでなく、一方の成分（低融点成分）／他方の成分（高融点成分）の構成として、ポリブチレンテレフタレート／ポリエチレンテレフタレートなどの性質の類似する２種の合成繊維成分をサイドバイサイド型に連続成型してなるいわゆるサイドバイサイド複合繊維とすることもできる。
　なお、捲縮剛毛糸の各接点の固定は、熱固定によるものに限らず、接着剤による固定も利用可能である。
　【００１４】
　さらに、本発明の自然石連結マットには、孔開きベルト部をネット状体の周辺部に有していてもよい。上記孔開きベルト部は、多数の孔が開けられたベルト状の合成繊維からなる織編物により構成されている。
　ベルト状の合成繊維からなる織編物としては、重量が３００〜３，０００ｇ／ｍ２、引張強度が３〜３０ｔｆ／ｍ、伸度が５〜３０％、目合が１〜５０ｍｍの織物が好ましい。
　この場合、合成繊維には、上記樹脂固めネットの経糸、緯糸に使用される素材と同様のものが使用できる。なお、上記樹脂固めネットの経糸と同様に、経糸、緯糸に、高強力を有する補強用繊維を合糸させてもよい。
　また、強度補強のため、ポリエチレン繊維、ポリプロピレン繊維、ポリエステル繊維、ポリアラミド繊維、炭素繊維、ガラス繊維、スチール繊維、ナイロン繊維などのフィラメント状の芯材が埋設されていてもよく、合成樹脂フィルムがコーティングしてあってもよい。
　【００１５】
　孔開きベルトの幅としては、５〜１５ｃｍがよく、好ましくは８〜１０ｃｍである。また、孔の大きさは５〜２０ｃｍ、孔の間隔は５〜２０ｃｍが良い。
　孔の開口法としては、機械穿孔や熱穿孔が挙げられる。
　また、孔の周りの処理は、ハトメ、熱溶融や溶融、接着剤処理、縫合や縫製処理などが挙げられ、織編物のほつれ防止の点から、熱溶融や溶融が好ましいが、無処理のままでもよい。
　上記孔開きベルトの孔は、運搬あるいは作業時に保持するため、吊り下げ金具に懸架用部材を介して掛着されるためにも使用されるが、吊り用単管挿入ループと同様に、敷設時に、隣接した自然石連結マット同士あるいは敷設法面上の根石または岩盤とを締結するために使用してもよい。
　【００１６】
　上記孔開きベルト部をネット状体の周辺部に設ける方法としては、ネット状体とは別に作成したベルト状の合成繊維からなる織編物の、縫合、熱融着、接着剤による接着方法などが挙げられるが、強度、費用、耐久性の点から、縫製による固定が好ましい。
　縫合の場合は、ネット状体と孔開きベルトを重ね合わせ、その重ね合わせた部分を、ミシン糸で縫合して連結する。ミシン糸としては、ポリエステル、ナイロン、ポリエチレン、ポリプロピレン、ポリ塩化ビニルなどの合成繊維からなるフィラメント糸、スパン糸およびそのタスラン糸などの加工糸などが挙げられる。
　ミシン糸の総繊度は５００〜９，０００デニール、好ましくは１，０００〜３，０００デニール、引張強度は５ｇｆ／デニール以上、好ましくは７ｇｆ／デニール以上である。
　【００１７】
　重ね合わせ部の縫い方としては、３本針などの環縫いでも、本縫いなどでもよい。
　使用するネット状体の引っ張り強度、伸度に応じ、ミシン糸、縫い本数、縫い目ピッチを設定するのが好ましい。
　縫い目ピッチは、５〜５０目／１００ｍｍ、好ましくは１０〜３０目／１００ｍｍであり、５目／１００ｍｍ未満であると、連結強度に劣り、一方、５０目／１００ｍｍを超えると、ネット状体の強度が減少する恐れがある。
　針間距離、ネット状体の重ね合わせ幅は、適宜選択することができる。
　また、上記孔開きベルト部をネット状体の周辺部に設ける方法として、ネット状体の周辺部の目合を増加させたり、周辺部に補強材を組み込んで、上記孔開きベルト部を作成してもよい。
　【００１８】
　本発明の自然石連結マットは、型枠内に自然石を配置し、アンカーボルト、ロープ、紐状体もしくはベルトにより、ネット状体の片面側に自然石を固着して作成することができる。
　そして、作成した型枠内の自然石連結マットは、型枠に枠蓋を締結し、上下に転回することで、自然石をネットの上側にする。
　上記型枠は、作成する自然石連結マットとほぼ同じ位の大きさを有し、自然石連結マットを収納して作業できる強度のあるものなら、どのようなものでもよい。
　また上記枠蓋は、型枠に対応する大きさであり、その片側に、クッション材を有する物である。
　クッション材としては、ゴム弾性体、発泡成形体などが挙げられ、費用などの点から、古タイヤやタイヤなども好ましい。
　【００１９】
　本発明の自然石連結マットは、運搬あるいは作業時に保持するため、吊り下げ金具に懸架用部材を介して掛着される。
　上記吊り下げ金具の形状、材質、強度などは、運搬あるいは作業時に、自然石連結マットを、充分支えることのできるものであれば、どのようなものでもよい。
　また、上記懸架用部材としては、運搬あるいは作業時に、自然石連結マットを、充分支えることのできるものであれば、どのようなものでもよい。
　具体的には、金属または合成樹脂製の鎖、ロープ、ベルトなどが挙げられ、強度、費用、作業性、耐久性の点から、好ましくは金属製鎖および金属製ワイヤーである。
　【００２０】
　【実施例】
　以下、実施例により本発明をさらに具体的に説明するが、本発明はこれら実施例に限定されるものではない。
　【００２１】
　図１および図２は本発明の実施例を示す自然石連結マットの表面図と裏面図である。
　図において、１はジオテキスタイルからなるマット本体で、ネット状に形成された芯材補強樹脂ネット２０を含んで構成される。
　８は、運搬あるいは作業時に保持するための吊り用単管挿入ループである。
　該ネット２０は高密度ポリエチレンを押し出し機からネット状に押し出し成型したもので、図３に示す如く、２０ｍｍの目合いを有し、縦線（経線）２１に総デニール１０，０００デニールのアラミド長繊維２２が補強用の芯材として埋設されている。
　２３は横線（緯線）である。なお、芯材は全てが埋設されている必要はなく、一部が露出状態にあってもよい。
　【００２２】
　なお、該ネット２０は、図４に示す格子状織物を樹脂コーテングして固めた樹脂固めネット３０であってもよい。
　図４において、合成繊維製の格子状織物３１は経糸３２が２本の絡み糸３３ａ、３３ｂから形成されている特殊な織物であり、緯糸３４には１本の合撚糸３５が用いられている。
　このように、本発明に係る樹脂ネットは、ネット状もしくはメッシュ状に形成された構造であるため、植生、植栽植が貫通し、根がネット糸に絡むことで活着し、植生補強に効果的である。
　この場合、樹脂固めネットでは目合いは２．０〜５０．０ｍｍ程度、好ましくは５．０〜１０．０ｍｍのものがよい。
　図４に示す例は、特殊な織物からなる樹脂固めネットであるが、本発明は、これに限定されるものではないことは言うまでもない。
　【００２３】
　図５に示すように、このネット２０（３０）上には、該ネット２０（３０）に径が２０〜８０ｃｍ程度の自然石２がアンカー３と爪付きアンカープレート４などを介して多数個連結され固定されている。
　アンカー３は、自然石２のほぼ中央部に穿設された孔７に打ち込まれて固定されている。
　自然石に穿設される孔は、径の大きな自然石の場合、複数個あってもよい。自然石に穿設される孔の径は、２．４〜２０．４ｍｍ、好ましくは４．４〜９．４ｍｍ、深さは、１５〜１５０ｍｍ、好ましくは３０〜９０ｍｍである。
　本発明のアンカー３は、あと施工アンカーでもよく、あと施工アンカーは、アンカーを打ち込むことにより、先端部が拡開する種類のものが使用されるが、これに限定されるものではなく、ケミカルアンカーのように接着剤により固着するものを使用してもよい。
　アンカー３の径は、２．０〜２０．０ｍｍ、好ましくは４．０〜９．０ｍｍ、長さは、１０〜１４５ｍｍ、好ましくは２５〜８５ｍｍである。
　【００２４】
　図５において、ネット２０（３０）への自然石２の取り付けは、固定位置の自然石２に対応して、ネットの他面側から、不織布、樹脂、ゴム板などのスペーサー５を介して、亜鉛板、メッキ鉄板、ステンレス板などの金属製、または、超高分子量ポリエチレン、ポリカーボネートなどの樹脂製爪付きアンカープレート４を被せ、アンカー３を打ち込んで、亜鉛メッキを施した鉄製、またはステンレス製固定キャップや、亜鉛メッキを施した鉄製、またはステンレス製ナットなどの締め付け部材６により固着されている。
　【００２５】
　アンカーを打ち込むことにより、先端部が拡開するアンカーとしては、図６に例示するような金属拡張アンカーが挙げられる。
　図６（ａ）、図６（ｉ）は、芯棒打ち込み式アンカーであり、芯棒５０を打ち込むと拡張部が開く。
　図６（ｂ）は、内部コーン打ち込み式アンカーであり、内部コーン５３を打ち込むと拡張部が開く。
　図６（ｃ）は、本体打ち込み式アンカーであり、本体５１を打ち込むと拡張部が開く。図６（ｄ）は、スリーブ打ち込み式アンカーであり、スリーブ５５を打ち込むと拡張部が開く。
　図６（ｅ）、図６（ｆ）、図６（ｇ）、図６（ｈ）は、それぞれ、テーパーボルト式、コーンナット式、ダブルナット式、ウェッジ式の、アンカーでありナット５２を締めると拡張部が開く。
　【００２６】
　また、図７に示すように、ガラス容器などの破壊し易い容器に硬化性樹脂成分と硬化剤とを分離して収容したアンカー固着用カプセルを自然石に穿設された孔７中に挿入し、次いで、アンカー３を打ち込むことにより容器を破壊するとともに、硬化性樹脂成分と硬化剤とを混合して樹脂を硬化させて接着剤５８とし、アンカー３が接着剤５８によりアンカーホールに固着されるケミカルアンカーも、本発明において使用できる。
　上記接着剤５８は、アンカー固着用カプセルを使用せず、硬化性樹脂成分と硬化剤とを混合しながら、直接、孔７中に注入してもよい。
　【００２７】
　【００２８】
　また、本発明に係わる樹脂製ネットはヘチマ繊維状植生基盤材を敷設することで、植生根がきわめて活着し易くなると同時に表土の流出を防止するという大きなメリットを有する。
　ヘチマ繊維状植生基盤材は上記の如く、捲縮付与された剛毛糸を、例えば加圧圧縮した後、各接点を接合したヘチマ繊維状に絡み合った構造体である。
　
図８
　また、ネット全面に被覆してもまたは部分的に配してもよい。
　【００２９】
　次に、本発明の自然石連結マットを、型枠内で作成し、枠蓋を使用して、自然石をネットの上側にする方法、および作成した自然石連結マットを吊り下げ金具に懸架用部材を介して掛着し、吊り下げ金具を持ち上げて、上記マットを吊り下げ、移動して所定位置に敷設する敷設工法の一例を
図９〜１４
　なお、
図１０〜１４
　
図９
　石の大きさは、径２０〜５０ｃｍが好ましく、石の密度は、４〜１５個／ｍ２（１６〜６０個／４ｍ２）が好ましい。
　ドリルにて、径６．４ｍｍの孔７を開け、その孔７に接着剤を注入する。
図１０
図９
　ネットの上側から、不織布のスペーサー５を介して、鋼板の爪付きアンカープレート４を被せ、径６．０ｍｍ、長さ６０ｍｍの拡張アンカーを挿入し、ハンマーでアンカーを打ち込んで、締め付け部材により固着して、本発明の自然石連結マット１を作成する。
　通常、自然石を１６〜６０個連結した自然石連結マット（２ｍ×２ｍ）の場合、重さは、０．８〜２．０トンである。
　【００３０】
　
図１１
　なお、
図１１
図１２
　
図１３
　なお、懸架用部材を取り付ける孔開きベルト部の孔の数は、作業性、バランス、自然石連結マットの大きさ、形状などにより適宜選択できる。
　
図１３
　【００３１】
　本発明の自然石連結マット１を水平面に敷設する場合は、
図１３
　しかし、
図１４
　【００３２】
　自然石連結マットは、その固定方法などにより種々の形態、形状、特性などの異なったものが得られるので、造成すべき護岸表土や盛土法面表土の条件、状態に応じて比較的伸縮性のあるものや剛性の強いものが適宜使用される。
　また、種類の異なる樹脂ネットやポリマーグリッド、不織布のようなジオテキスタイルを組み合わせ、あるいは数枚重ねて利用することが可能である。
　前述の如く、本発明に係る樹脂ネット、特に芯材補強樹脂ネットはその強度が大きいことから、ネットに入り込んだ表土に拘束されて一体化し強大な抵抗力を生じる、いわゆるインターロッキング効果を発揮し、表土に強固に固定される。
　なお、護岸表土や盛土法面表土への固定は、杭やアンカーなどの打ち込みにより迅速かつ正確に固定される。
　なお、通常は、護岸表土や盛土法面表土には自然石連結マットを順次敷設し連結固定して行われるが、必要に応じて固定された自然石連結マットのネット上に栗石や土をある程度被せてもよい。
　【００３３】
　【発明の効果】
　本発明によれば、多自然型護岸や多自然型盛土法面の造成において、護岸表土や盛土法面表土がコンクリート、自然石により分断されることがなく、植生補強の上から非常に効果的で、植栽植や植生による自然回復をきわめて容易にし、且つ施工速度の向上と省力化による大幅な工期短縮を可能にするという顕著な効果を奏する。
【図面の簡単な説明】
　【図１】本発明の実施例を示す表面図である。
　【図２】図１の裏面図である。
　【図３】図１のネット部分の拡大平面図である。
　【図４】ネット部分の他の実施例を示す拡大平面図である。
　【図５】図１の自然石固定の一部断面拡大図である。
　【図６】本発明の実施例に使用する金属拡張アンカー例の側面図である。
　【図７】本発明の実施例の自然石固定に、ケミカルアンカーを使用した断面拡大図である。
　
【図８】
　
【図９】
　
【図１０】
　
【図１１】
　
【図１２】
　
【図１３】
　
【図１４】
　【符号の説明】
　１　マット本体
　２　自然石
　３　アンカー
　７　孔
　８　吊り用ループ
　１１　孔開きベルト
　２０　芯材補強ネット
　４０　ヘチマ繊維状植生基盤材
　５０　芯棒
　５１　アンカー本体
　５３　コーン
　５４　テーパー付きボルト
　５５　スリーブ
　５６　テーパー部
　５７　ウェッジ
　６１　型枠
　６３　枠蓋
　６４　吊り下げ金具
　６５　懸架用部材
【図面】